(57)【要約】【課題】第１の環状蛍光灯と、第２の環状蛍光灯とを、点灯装置の所定の出力部に確実に接続できる天井直付け型照明器具を提供することにある。【解決手段】第１の環状蛍光灯と、第２の環状蛍光灯と、これらの環状蛍光灯に装着されるソケットと、これらのソケットに一端が接続された電線と、この電線のうちの一方の他端が接続される第１の環状蛍光灯用の第１出力部と他方の他端が接続される第２の環状蛍光灯用の第２出力部とを有する略直方形のケースに収納された点灯装置と、これらの環状蛍光灯を支持するホルダーと、中央部に電源供給線を貫通する貫通孔を有した器具本体と、を備えた天井直付け型照明器具において、点灯装置の第１出力部を第２出力部より貫通孔に側に設けるとともに、この第１出力部に接続される電線の長さを、ソケットが第２の環状蛍光灯に装着され得ない長さとした。【選択図】　　　　図１
2004047148.tif 000002
【特許請求の範囲】
【請求項１】
口金を有する第１の環状蛍光灯と、口金を有し前記第１の環状蛍光灯より直径の大きな第２の環状蛍光灯と、これらの環状蛍光灯の口金に装着されるソケットと、これらのソケットに一端が接続された電線と、この電線のうちの一方の他端が接続される第１の環状蛍光灯用の第１出力部と他方の他端が接続される第２の環状蛍光灯用の第２出力部とを有する略直方形のケースに収納された点灯装置と、第１の環状蛍光灯と第２の環状蛍光灯を略同心状に支持するホルダーと、中央部に点灯装置への電源供給線を貫通する貫通孔を有し、この孔と重合しない位置に前記点灯装置とホルダーを取付けた器具本体と、を備えた天井直付け型照明器具において、前記点灯装置の第１出力部を第２出力部より貫通孔に側に設けるとともに、この第１出力部に接続される電線の長さを、ソケットが第２の環状蛍光灯に装着され得ない長さとしたことを特徴とする天井直付け型照明器具。
【請求項２】
前記第１出力部に接続される電線と、前記第２出力部に接続される電線と、の少なくとも一方を器具本体の所定の位置に固定したことを特徴とする請求項１記載の天井直付け型照明器具。
【請求項３】
前記点灯装置は、一つのインバータ回路により２種の環状蛍光灯を点灯させる回路構成であることを特徴とする請求項１又は請求項２記載の天井直付け型照明器具。
【請求項４】
前記点灯装置を制御する赤外線リモコン受信部を前記２つの環状蛍光灯の口金と対向する側に設けたことを特徴とする請求項１乃至請求項３記載の天井直付け型照明器具。
【請求項５】
前記赤外線リモコン受信部を第２の環状蛍光灯より直径方向の外側に設けたことを特徴とする請求項４記載の天井直付け型照明器具。
【発明の詳細な説明】
【０００１】
【発明の属する技術分野】
本発明は、天井に取付けられる天井直付け型照明器具に関する。
【０００２】
【従来の技術】
この種の天井直付け型照明器具の従来例として、特開平９−２６００７５に開示されたものがあり、図４はこれに開示されたものの断面図である。
【０００３】
この天井直付け型照明器具は、口金を有する第１の環状蛍光灯１ａと、口金を有し第１の環状蛍光灯より直径の大きな第２の環状蛍光灯１ｂと、これらの環状蛍光灯の口金に装着され、対をなし一体に形成されたソケット２と、このソケットに接続され第１の環状蛍光灯１ａと第２の環状蛍光灯１ｂを点灯させる略Ｕ字状の点灯装置４（蛍光灯電子回路式安定器）と、第１の環状蛍光灯１ａと第２の環状蛍光灯１ｂを略同心状に支持する、対をなし一体に形成されたホルダー５と、ソケット２や点灯装置４やホルダー５が固定される器具本体６と、点灯装置へ電力を供給するとともに器具本体６を支持する引掛けシーリングキャップ７と、を備えて構成されている。
【０００４】
このものの取付けは、天井に設けられた引掛けシーリングボディーに引掛けシーリングキャップ７を嵌合させることにより、引掛けシーリングキャップ７を介して器具本体６が天井に取付けられる。
【０００５】
一方、引掛けシーリングボディーが天井に設けられていない所では、特開平７−２７２５２８に開示された天井直付け型照明器具が使われる。図５は、このものの正面図を示す。このものは口金を有する環状蛍光灯１と環状蛍光灯の口金に装着されるソケット２と、このソケット２に接続され環状蛍光灯１を点灯させる略直方形のケースに収納された点灯装置４（磁気回路式安定器）と、環状蛍光灯１を支持するホルダー５と、中央部に点灯装置への電源供給線を貫通する貫通孔６ａと、その両側に設けられた一対の取付孔６ｂを有した器具本体６と、を備えて構成されている。
【０００６】
このものの取付けは、器具本体６の背面を天井面に合わせ、器具本体６の下方より取付孔６ｂにネジを挿通し、このネジで器具本体６を天井面に固定することにより取付けが完了する。
【０００７】
さらに、引掛けシーリングボディーが天井に設けられていない所で、第１の環状蛍光灯１ａと、第１の環状蛍光灯より直径の大きな第２の環状蛍光灯１ｂとを有し、これを点灯装置４（蛍光灯電子回路式安定器）を用いて点灯させる天井直付け型照明器具は、上述の２つの例より図６のようなものが考えられる。
【０００８】
このものは、口金を有する第１の環状蛍光灯１ａと、口金を有し第１の環状蛍光灯より直径の大きな第２の環状蛍光灯１ｂと、これらの環状蛍光灯の口金に装着される２つのソケット２と、ソケット２に一端が接続された電線３と、このうちの一方の電線３の他端が接続される第１の環状蛍光灯１ａ用の第１出力部４ａと他方の電線３の他端が接続される第２の環状蛍光灯１ｂ用の第２出力部４ｂとを有する略直方形のケースに収納された点灯装置４と、第１の環状蛍光灯１ａと第２の環状蛍光灯１ｂを略同心状に支持するホルダー５と、中央部に点灯装置４への電源供給線を貫通する貫通孔６ａとその両側に設けられた一対の取付孔６ｂを有し、これらの孔と重合しない位置に点灯装置４とホルダ５ーが取付けられた器具本体６と、を備えて構成されている。
【０００９】
そして、このものの取付けも、器具本体６の背面を天井面に合わせ、器具本体６の下方より取付孔６ｂにネジを挿通し、このネジで器具本体６を天井面に固定することにより取付けが完了する。
【００１０】
【発明が解決しようとする課題】
ところが、上記、図６に示した天井直付け型照明器具においては、環状蛍光灯の交換の際、第１の環状蛍光灯１ａに装着すべきソケット２と第２の環状蛍光灯１ｂに装着すべきソケット２とを、ソケット２や点灯装置４（蛍光灯電子回路式安定器）に表示された接続先（適合蛍光灯）表示を確認し、所定の環状蛍光灯に装着する必要があった。また、この確認が不充分であった場合は、逆に接続される可能性もあり、この場合、天井直付け型照明器具は、所定の性能を発揮できないことがあった。
【００１１】
本発明は、上記事由に鑑みてなしたもので、その目的とするところは、第１の環状蛍光灯と、第２の環状蛍光灯とを、点灯装置の所定の出力部に確実に接続できる天井直付け型照明器具を提供することにある。
【００１２】
【課題を解決するための手段】
請求項１に係る発明は、口金を有する第１の環状蛍光灯と、口金を有し前記第１の環状蛍光灯より直径の大きな第２の環状蛍光灯と、これらの環状蛍光灯の口金に装着されるソケットと、これらのソケットに一端が接続された電線と、この電線のうちの一方の他端が接続される第１の環状蛍光灯用の第１出力部と他方の他端が接続される第２の環状蛍光灯用の第２出力部とを有する略直方形のケースに収納された点灯装置と、第１の環状蛍光灯と第２の環状蛍光灯を略同心状に支持するホルダーと、中央部に点灯装置への電源供給線を貫通する貫通孔を有し、この孔と重合しない位置に前記点灯装置とホルダーを取付けた器具本体と、を備えた天井直付け型照明器具において、前記点灯装置の第１出力部を第２出力部より貫通孔に側に設けるとともに、この第１出力部に接続される電線の長さを、ソケットが第２の環状蛍光灯に装着され得ない長さとしたことを特徴とする。
【００１３】
請求項２に係る発明は、請求項１において、前記第１出力部に接続される電線と、前記第２出力部に接続される電線と、の少なくとも一方を器具本体の所定の位置に固定したことを特徴とする。
【００１４】
請求項３に係る発明は、請求項１又は請求項２において、前記点灯装置は、一つのインバータ回路により２種の環状蛍光灯を点灯させる回路構成であることを特徴とする。
【００１５】
請求項４に係る発明は、請求項１乃至請求項３のいずれかにおいて、前記点灯装置を制御する赤外線リモコン受信部を前記２つの環状蛍光灯の口金と対向する側に設けたことを特徴とする。
【００１６】
請求項５に係る発明は、請求項４において、前記赤外線リモコン受信部を第２の環状蛍光灯より直径方向の外側に設けたことを特徴とする。
【００１７】
【発明の実施の形態】
本発明の実施の形態を図１を用いて説明する。図１は、天井直付け型照明器具の全体の構成を示す図で図１（ａ）は正面図、図１（ｂ）は側面図である。
【００１８】
この天井直付け型照明器具は、口金を有する第１の環状蛍光灯１ａと、口金を有し第１の環状蛍光灯より直径の大きな第２の環状蛍光灯１ｂと、これらの環状蛍光灯の口金に装着される２つのソケット２と、このソケットに一端が接続された電線３と、この電線３の他端が接続され、略直方形のケースに収納された点灯装置４と、（蛍光灯電子回路式安定器）と、第１の環状蛍光灯１ａと第２の環状蛍光灯１ｂを略同心状に支持するホルダー５と、点灯装置４やホルダー５が取付けられた器具本体６と、を備えて構成されている。
【００１９】
第１の環状蛍光灯１ａは、例えばＦＣＬ３２Ｗのスタータ型の環状蛍光灯で、その内径は２４１ｍｍのもので、第２の環状蛍光灯１ｂは、例えばＦＣＬ４０Ｗのスタータ型の環状蛍光灯で、その内径が３１５ｍｍのものである。また、ソケット２は、環状蛍光灯の口金に挿入することによりソケット２が保持される構成のものである。
【００２０】
点灯装置４は、ＦＣＬ３２ＷとＦＣＬ４０Ｗの環状蛍光灯を点灯させることができるもので、金属性の平板を折り曲げ加工する、あるいは樹脂を成形加工することにより略方形に形成されたケースに収納されている。そして、その入力端子は、ケースの長手方向の一端面に、出力端子は、ケースの長手方向の他端面に各々分離して設けられている。そして出力端子は、一方のソケット２からの電線３が接続される第１の環状蛍光灯１ａ用の第１出力部４ａと他方のソケット２からの電線３が接続される第２の環状蛍光灯１ｂ用の第２出力部４ｂとを有する。
【００２１】
器具本体２は、鉄板又は樹脂などで略円形状に形成され、この中央部には、点灯装置４への電源供給線を貫通する貫通孔６ａと、その両側に設けられた一対の取付孔６ｂが設けられ、これらの孔と重合しない位置に点灯装置４とホルダー５が取付けられている。
【００２２】
ここで重要なことは、点灯装置４の第１出力部４ａを第２出力部４ｂより貫通孔６ａに側に設けるとともに、この第１出力部４ａに接続される電線３の長さを、これに接続されたソケット２が径の第２の環状蛍光灯に装着され得ない長さとしたことである。
【００２３】
このように構成された天井直付け型照明器具の取付けは、器具本体６の背面を天井面に合わせ、器具本体６の下方より取付孔６ｂにネジを挿通し、このネジで器具本体６を天井面に固定することにより取付けられる。さらに第２の環状蛍光灯（ＦＣＬ４０Ｗ）を取付けるが、このとき２つのソケットのうちの一方を口金に装着し、その後、第２の環状蛍光灯をホルダー５に支持する。このときホルダー５に支持できなければ他方のソケットに差替えて、ホルダー５に支持する。次に第１の環状蛍光灯（ＦＣＬ３２Ｗ）を取付ける。同様にしてソケット２を口金に装着するが、このとき点灯装置４を避けた、図１（ａ）で示した箇所で装着する。その後、これをホルダー５に支持することにより、２本の環状蛍光灯の装着が終了する。なお、環状蛍光灯の交換の際も同様に行えばよい。
【００２４】
この実施の形態によると、環状蛍光灯を装着する際に、点灯装置４の第１出力部４ａと第２出力部４ｂとに、所定の環状蛍光灯を確実に接続することができる。また、点灯装置４の第１出力部４ａを第２出力部４ｂより貫通孔に側に設けたことにより、第１の環状蛍光灯の口金へのソケット２の着脱は、点灯装置４を避けた、図１（ａ）で示した箇所Ｘで行えるので、作業が行いやすくなる。
【００２５】
なお、第１出力部４ａに接続される電線３の一部と第２出力部４ｂに接続される電線３の一部を器具本体６の所定の位置に固定すること、例えば、第１出力部４ａに電線３を介して接続されたソケット２の位置を内側に固定、第２出力部４ｂに電線３を介して接続されたソケット２の位置をこれよりも外側に固定したことにより、環状蛍光灯を取付ける際に、どちらのソケット２を選べば良いかが、より自然に選択することができ、よりスムーズに環状蛍光灯を取付けることができる。
【００２６】
次に、本発明の第１の応用例を説明する。図２は点灯装置の回路構成を示し、図２（ａ）のものは、ＡＣ電源を整流する４個のダイオードＤ１〜Ｄ４と、この整流された電圧を平滑して直流電圧に変換するコンデンサＣと、を有した整流平滑回路部４０と、その平滑された直流電圧間に直列に挿入された１対のスイッチング素子Ｔｒ１、Ｔｒ２（トランジスタ素子）と、このスイッチング素子Ｔｒ１、Ｔｒ２を高周波（５０ＫＨｚ）にて駆動する駆動回路４４と、　１対のスイッチング素子Ｔｒ１、Ｔｒ２の中点と回路ＧＮＤ間に接続されてたインダクターＬ１、Ｌ２と、コンデンサＣ２、Ｃ３と、蛍光灯１と、を備えて構成されている。また、図２（ｂ）のものは、図２（ａ）に示した１対のスイッチング素子Ｔｒ１、Ｔｒ２の中点と回路ＧＮＤ間に接続された部品の構成を変更したものである。その他の図２（ｂ）と同一の構成部材には同一符号を付すことにより説明を省略する。
【００２７】
このようにインバータ点灯装置を１つのインバータ回路、つまり１対のスイッチング素子Ｔｒ１，Ｔｒ２により２種の蛍光灯を一括して点灯する回路構成のものとすることにより、点灯装置４の小型化を図ることができ、よりソケットの着脱が容易となる。
【００２８】
次に、本発明の第２の応用例を図３に示す。図３（ａ）の天井直付け型照明器具は、図１のものに赤外線リモコン受信部を加えたものである。図において、７は送信器から送信されるリモコン信号を受けるリモコン受光装置である。また、点灯装置４はリモコン受光装置７からの信号により環状蛍光灯１の点灯状態を制御することができるものを用いている。なお、その他の図２（ｂ）と同一の構成部材には同一符号を付すことにより説明を省略する。
【００２９】
ここでは、２つの環状蛍光灯の口金と対向する側にリモコン受光装置７を設けている。
【００３０】
これにより、リモコン受光装置７を環状蛍光灯の口金部から離すことができ、口金部から発生する赤外線の影響をあまり受けないようにできる。特に、口金部は、環状蛍光灯のなかでも最も赤外線の放出量が多い箇所のため、この影響が少ないと、ノイズとしての赤外線も減り、リモコン受光装置７の受光感度をより上げることができる。
【００３１】
さらに図３（ｂ）の天井直付け型照明器具は、リモコン受光装置７を第２の環状蛍光灯より直径方向の外側に設けている。
【００３２】
このものは、前述した、環状蛍光灯の口金部からのノイズとして発生する赤外線がより減少し、リモコン受光装置７の受光感度をより上げることができる。
【００３３】
【発明の効果】
請求項１記載の発明にあっては、口金を有する第１の環状蛍光灯と、口金を有し前記第１の環状蛍光灯より直径の大きな第２の環状蛍光灯と、これらの環状蛍光灯の口金に装着されるソケットと、これらのソケットに一端が接続された電線と、この電線のうちの一方の他端が接続される第１の環状蛍光灯用の第１出力部と他方の他端が接続される第２の環状蛍光灯用の第２出力部とを有する略直方形のケースに収納された点灯装置と、第１の環状蛍光灯と第２の環状蛍光灯を略同心状に支持するホルダーと、中央部に点灯装置への電源供給線を貫通する貫通孔を有し、この孔と重合しない位置に前記点灯装置とホルダーを取付けた器具本体と、を備えた天井直付け型照明器具において、前記点灯装置の第１出力部を第２出力部より貫通孔に側に設けるとともに、この第１出力部に接続される電線の長さを、ソケットが第２の環状蛍光灯に装着され得ない長さとしたことにより、第１の環状蛍光灯と、第２の環状蛍光灯とを、点灯装置の所定の出力部に確実に接続することができる。
【００３４】
請求項２記載の発明にあっては、前記第１出力部に接続される電線の一部、又は／及び、前記第２出力部に接続される電線の一部、を器具本体に固定したことにより、請求項１の効果に加え、ソケットの可動する範囲をより狭い範囲に限定することができるので、よりスムーズに環状蛍光灯を取付けることができる。
【００３５】
請求項３記載の発明にあっては、前記点灯装置は、一つのインバータ回路により２種の環状蛍光灯を点灯させる回路構成であることにより、請求項１又は請求項２の効果を奏するうえに、点灯装置の小型化を図ることができ、よりソケットの着脱が容易となる。
【００３６】
請求項４記載の発明にあっては、前記点灯装置を制御する赤外線リモコン受信部を前記２つの環状蛍光灯の口金と対向する側に設けたことにより、請求項１乃至請求項２の効果を奏するうえに、ノイズとしての赤外線が減り、リモコン受光装置の受光感度をより上げることができる。
【００３７】
請求項５記載の発明にあっては、前記赤外線リモコン受信部を第２の環状蛍光灯より直径方向の外側に設けたことにより、請求項４に記載した効果をより高めることができる。
【図面の簡単な説明】
【図１】本発明の実施の形態に係る天井直付け型照明器具の全体の構成を示す図である。
【図２】同上の天井直付け型照明器具の第１の応用例を示す点灯装置回路図である。
【図３】同上の天井直付け型照明器具の第２の応用例を示す点灯装置回路図である。
【図４】第１の従来例に係る天井直付け型照明器具を示す断面図である。
【図５】第２の従来例に係る天井直付け型照明器具を示す正面図である。
【図６】第３の従来例に係る天井直付け型照明器具を示す正面図である。
【符号の説明】
１　　　環状蛍光灯
１ａ　　第１の環状蛍光灯
１ｂ　　第２の環状蛍光灯
２　　　ソケット
３　　　電線
４　　　点灯装置
４ａ　　第１出力部
４ｂ　　第２出力部
５　　　ホルダー
６　　　器具本体
６ａ　　貫通孔
【図１】
2004047148.tif 000003
【図２】
2004047148.tif 000004
【図３】
2004047148.tif 000005
【図４】
2004047148.tif 000006
【図５】
2004047148.tif 000007
【図６】
2004047148.tif 000008